(57)【要約】【課題】  建設中の高層マンション等において排水管等を上下に配管するためにコンクリートスラブに固定されたソケット管の上流側受け口を塞いでおくことにより、下階への雨水の侵入を防止するために、従来ビニールシートを被せ、その上にモルタル層を薄く盛って当該上流側受け口を水密に塞いでいたため、作業者が誤ってビニールシートを踏みつけたり、脚立の脚部を突き当ててしまい、その結果ビニールシートが破れて水漏れを発生する場合があった。本発明では、作業性を確保しつつソケット管の上流側端部の閉塞状態が確実に維持されるようにする。【解決手段】  作業者が足で踏みつけたり、脚立の脚部を突き当てたり、重量物を誤って載置しても変形したり破損したりすることがない程度の強度を備えた養生蓋４０で、ソケット管５０の上流側受け口５１を水密に塞いでおく構成とする。【選択図】        図１
2005060950.tif 000002
【特許請求の範囲】
【請求項１】
コンクリートスラブの上面に対して上流側受け口の上端を面一に揃えた状態で当該コンクリートスラブを貫通して取り付けた排水管の前記上流側受け口を、該上流側受け口に別の排水管を接続するまでの間一時的に塞いでおくための養生蓋であって、
人が踏みつけても変形若しくは破損しない程度の強度を備え、前記上流側受け口を水密に閉塞可能な構成とした養生蓋。
【請求項２】
請求項１記載の養生蓋であって、上流側受け口に対してボルト止めする構成とした養生蓋。
【請求項３】
請求項２記載の養生蓋であって、上流側受け口との間にパッキンを介在させて取り付けられる養生蓋。
【発明の詳細な説明】
【技術分野】
【０００１】
この発明は、例えば集合住宅や高層マンション等の高層建築物等の建設途中の段階において、各階を区画するコンクリートスラブに貫通して設けられた孔（以下、「スラブ孔」という）の内周側に位置させた排水管の上流側開口部を一時的に塞いでおくための養生蓋に関する。
【背景技術】
【０００２】
図２は、例えば高層建築物の各階を区画するコンクリートスラブ２０に対して施工された排水立て管経路を示している。上流側の立て管５と下流側の立て管７は、排水管継手１およびソケット管１０を介して接続されている。
ソケット管１０は、その上流側受け口１１の上面をコンクリートスラブ２０の上面（以下、単にスラブ上面ともいう）にほぼ面一に揃えた状態でコンクリートスラブ２０に固定されている。このソケット管１０の上流側受け口１１の内周側にパッキン１２を介して排水管継手１の下流側接続部８が挿入されている。排水管継手１の上部には、上流側受け口６が設けられている。この上流側受け口６に上流側の立て管５が接続されている。また、排水管継手１の胴部２には、横枝管受け口４が設けられている。この横枝管受け口４に横枝管３が接続されている。
ソケット管１０の下流側接続部１３に、下流側の立て管７が接続されている。
このような排水立て管経路の施工途中の段階においては、コンクリートスラブ２０には、スラブ孔２１が上階と下階を貫通した状態に設けられ、このスラブ孔２１内にソケット管１０を位置させた状態で、当該スラブ孔２１の内周側とソケット管１０の外周側との間にモルタル２２等を充填して埋め戻すことによりこのソケット管１０をコンクリートスラブ２０に固定する工事が行われる。
一方で、図示するようにソケット管１０は、その上流側受け口１１の上端部をスラブ上面に対してほぼ面一に揃えた状態で固定し、後工程において排水管継手１をいわゆるスラブ上面接合する場合には、埋め戻し完了後、ソケット管１０に排水管継手１が実際に配管されるまでの間、建物内のコンクリートスラブ２０上に降り込んだ雨水等がソケット管１０を経て下階へ流れ込まないようにしておく必要がある。その対策として従来は、例えば図３に示すように上流側受け口１１にビニールシート３０を被せて塞ぎ（紙シールを貼り付けて塞ぐ場合もある）、さらにこのビニールシート３０が移動しないようにするため、あるいは防水機能を確実にするために当該ビニールシートの上にうっすらとモルタル層３１を盛った状態（薄モルタル層）としていた。
【特許文献１】特開平１１−１８２０３６号公報
【発明の開示】
【発明が解決しようとする課題】
【０００３】
ところが、上記従来の施工方法によれば、埋め戻された後におけるソケット管１０の上部受け口１１がスラブ上面に対してほぼ面一に揃えられ、かつ上部受け口１１を塞ぐビニールシート３０全体に薄モルタル層３１が盛られた状態となっているため、当該ソケット管１０の上部受け口１１の位置が判りづらく、作業者にはほとんど見えない状態となってしまう。このため、従来例えば作業者が誤って踏みつけてしまったり、上流側受け口に誤って物を置いてしまったりすると、薄モルタル層３１が破砕されて受け口を塞いでいたビニールシート３０が移動したり破れてしまうおそれがあった。上流側受け口１１を塞いでいたビニールシート３０が移動等してしまうと、上流側受け口１１が開口されてしまい、その結果この上流側受け口１１から雨水等が下階側へ流れ込んで、下階側の作業環境を大きく損なう問題が発生する。
また、例えば脚立を用いて作業する場合に脚立の脚部が、見えづらくなっている上流側受け口１１に位置され、そのまま作業者が脚立を上がると脚立の脚部がビニールシート３０に突き当てられて薄モルタル層３１が破砕し、またビニールシート３０が破れてしまい、その結果脚立が倒れるおそれがあった。
また、ソケット管１０に排水管継手１を接続するために、除去したビニールシート３０および薄モルタル層３１は廃棄処分していたので、コストの点でも改善する必要があった。
本発明は、これら従来の問題に鑑みなされたもので、スラブ孔の埋め戻しによりコンクリートスラブに固定された状態の排水管の上流側受け口を一時的に塞いでおくことができ、かつ誤って物をおいても破れたりすることがなく、しかも再利用することができる養生蓋を提供することを目的とする。
【課題を解決するための手段】
【０００４】
このため、本発明は、前記各請求項に記載した構成の養生蓋とした。
請求項１記載の養生蓋によれば、養生蓋は、人が踏みつけたり、脚立の脚部を突き当てたり、重量物を載置しても変形若しくは破損しない程度の強度を備えているので、従来のビニールシートや紙シールで蓋をした場合に比して、蓋としての機能を確実に維持することができ、これにより下階への雨水の侵入等をより確実に防止することができる。
養生蓋は、上記した程度の強度を備えた剛体であれば足りる。剛体である養生蓋を用いることにより、従来のビニールシートや紙シール等の剛体物ではない部材を蓋として用いた場合における当該蓋の変形、損傷、破損といったトラブルを回避することができる。
また、鋳物製、鉄板製、塩化ビニール製等の上記程度の強度を有する剛体の養生蓋であれば、従来のように一回の使用で廃棄処分することなく再利用することができるので施工コストの低減を図ることができる。
請求項２記載の養生蓋によれば、ソケット管の上流側受け口に対して蓋を確実に固定しておくことができる。
請求項３記載の養生蓋によれば、ソケット管の上流側受け口に対する蓋の水密性を確実に維持することができ、これにより下階への雨水の侵入等を確実に防止することができる。
【発明の効果】
【０００５】
この発明に係る養生蓋によれば、人が踏みつけたりしても変形若しくは破損しないので、ソケット管の上流側受け口を水密に閉塞した状態を確実に維持することができ、これにより建設途中の建物内に降り込んだ雨水等がソケット管を経て下階へ侵入し、その結果フロアが水浸しになって作業に支障を来すトラブルを未然に防ぐことができる。
【発明を実施するための最良の形態】
【０００６】
次に、本発明の実施形態を図１に基づいて説明する。図１は、排水立て管経路の施工途中の状態であって、ソケット管５０がコンクリートスラブ２０に固定された段階の様子を示している。ソケット管５０とコンクリートスラブ２０のスラブ孔２１との間にはモルタル２２が充填されて埋め戻されている。このソケット管５０の上流側受け口５１に本実施形態の養生蓋４０が取り付けられている。
先ず、ソケット管５０の上流側受け口５１の内周側には円筒形状のパッキン５２が装着されている。このパッキン５２の内周側に排水管継手１の下部接続部８が差し込まれて、当該排水管継手１がソケット管５０の上流側に接続される。図１は、ソケット管５０に排水管継手１が接続される前の状態を示している。排水管継手１は、従来構成のものをそのまま用いることができ、本実施形態において特に変更を要しないのでその説明を省略し、同位の符号を用いる。
ソケット管５０は、その上流側受け口５１の上端をコンクリートスラブ２０の上面にほぼ面一に揃えた位置に固定されている（スラブ上面接合）。この点は、従来と同様である（図２参照）。従って、排水管継手１は、その下流側接続部８を上流側受け口５１に挿入して当該ソケット管５０に接続すると、横枝管受け口４がコンクリートスラブ２０の上面に極めて接近した高さに位置され、これにより横枝管５がコンクリートスラブ２０の上面から僅かなすき間をおいて高さに沿って配管される。これにより、コンクリートスラブ２０の上面と居室のフロアとのすき間（床下高さ）を小さくすることができるので、居室のいわゆるバリアフリー化の自由度を高めることができる。
【０００７】
さて、ソケット管５０が埋め戻しによりコンクリートスラブ２０に固定された後、その上流側受け口５１に排水管継手１が接続されるまでの間、当該ソケット管５０の上流側受け口５１には養生蓋４０が取り付けられ、これにより上流側受け口５１が水密に閉塞された状態とされる。
養生蓋４０は、本実施形態ではソケット管５０と同様鋳物を素材として製作されている。このため、養生蓋４０は、人が踏みつけたり、脚立の脚部を載せ掛けたり、あるいは重量物をその上に置いた程度では変形あるいは破損しない程度の強度（剛性）を備えている。
この養生蓋４０は、平面的に見るとソケット管５０の上流側受け口５１の外径とほぼ同じ外径を有する円板形状を有しており、その外周側にはフランジ部４０ａが全周にわたって形成されている。
また、図１に示すように養生蓋４０は、上記フランジ部４０ａの内周側が球形のドーム形状に形成されている。このドーム形状により当該養生蓋４０の強度が一層高められている。
上記フランジ部４０ａの下面を、上流側受け口５１の上面およびその全周にわたって形成されたフランジ部５１ａの上面に重ね合わせ、この重ね合わせ状態をボルト４２〜４２で固定することにより、当該養生蓋４０がソケット管５０の上流側受け口５１を塞いだ状態に固定されている。養生蓋４０のフランジ部４０ａと、ソケット管５０の上流側受け口５１の上面との間には、パッキン４１が挟み込まれている。これにより、養生蓋４０は、ソケット管５０の上流側受け口５１に水密に取り付けられている。
この養生蓋４０は、スラブ孔２１の埋め戻しがなされた後に上流側受け口５１に取り付けてもよく、またスラブ孔２１の埋め戻しを行う前の段階で取り付けておいてもよい。
この養生蓋４０は、工事の進行により当該ソケット管５０の上流側受け口５１に排水管継手１を接続する段階で取り外される。それまでの間、上流側受け口５１はこの養生蓋４０により塞がれた状態に保持され、これにより当該上流側受け口５１から雨水等が下階側へ流れ込むことが防止される。
【０００８】
以上のように構成した養生蓋４０によれば、スラブ孔２１の埋め戻しが完了した後、排水管継手１を接続するまでの間取り付けておくことにより、その間においてコンクリートスラブ２０上に降り込んだ雨水等がソケット管１０内に流れ込むことを防止することができ、これにより下階へ雨水等が流下することを防止することができ、これにより下階側のフロアが水浸しになって作業に支障を来すことを未然に防止することができる。
しかも、養生蓋４０は、従来のビニールシート３０や紙シール等とは異なって、人が踏みつけたり、あるいは例えば脚立の脚部を突き当てたりしても、さらには重量物を誤って載置しても変形したり、破損したりすることがない強度（剛性）を有する鋳物で形成されているので、作業性を確保しつつ確実に雨水等の侵入を防止することができる。
さらに、鋳物製の養生蓋４０は、再利用することができるので、従来のように一度の使用で廃棄処分する場合に比して施工コストの低減を図ることができる。
【０００９】
以上説明した実施形態には、種々変更を加えることができる。例えば、鋳物製の養生蓋４０を例示したが、これに限らず鉄板製等その他の金属製、塩化ビニール製等その他のプラスチック製、木材製あるいはこれらの素材を組み合わせた養生蓋とすることもできる。要は、養生蓋は、施工途中の段階において、作業者が踏みつけたり、脚立の脚部を突き当てたり、不用意に重量物を載置した場合であっても変形若しくは破損しない程度の強度を備えることにより、上記作用効果を得ることができる。
また、固定ボルト４２を用いてソケット管１０にボルト止めする養生蓋４０を例示したが、例えば、クリップ、バンド、ピン等を用いた他の固定手段を用いてソケット管５０の上流側受け口５１に固定する構成としてもよい。さらに、特別の固定手段を備えず、養生蓋４０の自重により上流側受け口５１に対して移動しないように取り付ける構成としてもよい。
また、ソケット管５０の上流側受け口５１の内周側にパッキン５２を装着した状態で養生蓋４０を取り付ける構成を例示したが、パッキン５２は排水管継手１を接続する直前に装着する構成としてもよい。
さらに、ソケット管５０の上流側受け口５１の上端がスラブ上面に対してほぼ面一に揃えられた状態で当該ソケット管５０をコンクリートスラブ２０に固定した場合を例示したが、スラブ上面に対する上流側受け口５１の上端の位置については、寸法的に精確に面一である場合の他、僅かに突き出た位置、逆に僅かに引き込んだ位置であってもよく、この場合にも同様の養生蓋４０を適用できることは言うまでもない。
また、コンクリートスラブ２０に固定される排水管としてソケット管５０を例示したが、本願発明の養生蓋はその他の名称の排水管に適用することができる。
【図面の簡単な説明】
【００１０】
【図１】本発明の実施形態を示す図であって、コンクリートスラブに取り付けたソケット管およびこれに取り付けた養生蓋を一部縦断面で示した側面図である。
【図２】排水立て管経路の側面図であって、排水管継手をスラブ上面接合に接続した施工例の側面図である。
【図３】従来の技術を示す図であって、ソケット管にビニールシートを被せてモルタル層を形成した施工例の側面図である。
【符号の説明】
【００１１】
１…排水管継手
２…胴部
３…横枝管
４…横枝管受け口
５…上流側の立て管
６…上流側受け口
７…下流側の立て管
８…下流側接続部
１０…ソケット管
１１…上流側受け口
１２…パッキン
１３…下流側接続部
２０…コンクリートスラブ
２１…スラブ孔
２２…モルタル
３０…ビニールシート
３１…モルタル層
４０…養生蓋、４０ａ…フランジ部
５０…ソケット管
５１…上流側受け口、５１ａ…フランジ部
５２…パッキン
【図１】
2005060950.tif 000003
【図２】
2005060950.tif 000004
【図３】
2005060950.tif 000005